(57)【要約】【課題】厨房家具用キャビネットの引出し内に米びつを体裁良く、かつ、他の物の収納の妨げにならないように設置する。また、米の取り出し操作が容易に行えるようにする。【解決手段】引出し式の開閉扉６を有する厨房家具用キャビネット１の前記開閉扉６の後側の引出し本体９上に、薄型の米びつ１０を設置し、この米びつ１０の計量機構部１２を操作する操作釦１４とトレイ１３ｃの引出し部１３を、その上面あるいは開閉扉の前面に設けることとした。【選択図】  図３
2004201876.tif 000002
【特許請求の範囲】
【請求項１】
略箱形で前面に引出し式の開閉扉を備えたコンロ台や流し台などの厨房家具用キャビネットにおいて、
上記開閉扉の内側の引出し本体上に、米を収納保管する収納部と、この収納部の下方に連続し、規定量の米を計量落下させる計量機構部と、計量機構部から落下した米を受けるトレイとを具備した米びつが一体的に取り付けられ、かつ、この米びつの上面には、計量機構部の操作釦が設けられると共に、米びつの下端寄りに装填されるトレイを挿脱する引出し部が上下方向に出没可能に設けられていることを特徴とする厨房家具用キャビネット。
【請求項２】
略箱形で前面に引出し式の開閉扉を備えたコンロ台や流し台などの厨房家具用キャビネットにおいて、
上記開閉扉の内側の引出し本体上に、米を収納保管する収納部と、この収納部の下方に連続し、規定量の米を計量落下させる計量機構部と、計量機構部から落下した米を受けるトレイとを具備した米びつが一体的に取り付けられ、開閉扉の前面に、前記計量機構部を操作する操作釦が設けられると共に、前記トレイを挿脱可能な開口が設けられたことを特徴とする厨房家具用キャビネット。
【発明の詳細な説明】
【０００１】
【発明の属する技術分野】
本発明は、米の収納機能を備えたコンロ台や流し台などの厨房家具用キャビネットに関する。
【０００２】
【従来の技術】
従来、このような引出し式の開閉扉内に米びつを一体的に組み込んだ厨房家具用キャビネットは見られなかった。
【０００３】
そのため、利用者の側において、適宜、図７や図８に示すような米びつ２２，２３を、開閉扉２０の後側の引出し本体２１内に収納したり、あるいは、図９に示すようなタッパと称される蓋２４ａ付きの収納容器２４内に米を入れ、これを引出し本体２１内に収納したりしていた。
【０００４】
図７に示した米びつ２２は、一般載置形のものであり、前面上部に開閉式の米の投入口２２ａが設けられると共に、中程に計量操作用の複数の操作レバー２２ｂが設けられ、下部に計量された米を取り出すトレイ２２ｃが挿脱可能に設けられたものであり、米を取り出すには、必要な量に対応した操作レバー２２ｂを押し下げ、米をトレイ２ｃに落下させた後、このトレイ２２ｃを米びつ２２から前方に引出し、取り出すようにしていた。
【０００５】
また、図８に示した米びつ２３は、上面に米の投入口２３ａと、計量用の操作釦２３ｂが設けられた薄型のものであり、米は米びつ２３の側面の下端寄りに設けられたトレイ２３ｃを米びつ２３の側方に引き出すことにより、行うようになっている。
【０００６】
さらに、図９に示したタッパと称される収納容器２４を米の収納に用いた場合、米を取り出すには、蓋２４ａを開けた後、収納された米を升などを用いて掬い取るようにしていた。
【０００７】
【発明が解決しようとする課題】
上述した従来の厨房家具用キャビネットのうち、図７や図８に示すような米びつを収納したものは、米びつの前方あるいは側方に操作用の空間が必要なため、ここに物を置くことができず、引出し内の収納量が減少するという問題点があった。
【０００８】
また、図９に示したタッパと称される収納容器を用いた場合は、米を取り出す際、一々、収納容器の蓋を開け、升などを用いてこの容器内に収納された米を掬い取らなくてはならず、煩わしく、作業も行い難いという問題点があった。また、このタッパの上側には物が置けないので、収納スペースの無駄が多く、キャビネット内の収納量が少なくなるという問題点もあった。
【０００９】
さらにまた、上述したものは何れも米を取り出す際、まずキャビネットの開閉扉を開放しなくてはならず、開閉扉を閉めたまま、直接、米を取り出すことができず、この面からも操作性が悪いという問題点も有していた。
【００１０】
本発明は、上記従来の厨房家具用キャビネットが有していた問題点の解決を課題とする。
【００１１】
【課題を解決するための手段】
上記の課題を解決するために、本発明のうち、請求項１記載の発明は、略箱形で前面に引出し式の開閉扉を備えたコンロ台や流し台などの厨房家具用キャビネットにおいて、上記開閉扉の内側の引出し本体上に、米を収納保管する収納部と、この収納部の下方に連続し、規定量の米を計量落下させる計量機構部と、計量機構部から落下した米を受けるトレイとを具備した米びつを一体的に取り付けた。そして、この米びつを、上面に計量機構部の操作釦が設けられると共に、米びつの下端寄りに装填されるトレイを挿脱する引出し部が上下方向に出没可能に設けらたものとしたことを特徴とする。
【００１２】
請求項２記載の発明は、略箱形で前面に引出し式の開閉扉を備えたコンロ台や流し台などの厨房家具用キャビネットにおいて、上記開閉扉の内側の引出し本体上に、米を収納保管する収納部と、この収納部の下方に連続し、規定量の米を計量落下させる計量機構部と、計量機構部から落下した米を受けるトレイとを具備した米びつを一体的に取り付け、開閉扉の前面に、前記計量機構部を操作する操作釦を設けると共に、前記トレイを挿脱可能な開口を設けたことを特徴とする。
【００１３】
【発明の実施の形態】
以下、本発明を図示した実施の形態に基づき詳細に説明する。
【００１４】
図１は、本発明に係る厨房家具用キャビネットの実施形態を示した要部簡略正面図、図２は、図１のＡ−Ａ線の断面図である。
【００１５】
図示したように、このキャビネット１は、ワークトップと称せられる天板２と、左右両側の側板３、背面板４、および底板５とで前面（図２において右面）が開放された箱形に形成されたものであり、前面の開放部分には、引出し式に前方に引き出される開閉扉６が設けられている。この開閉扉６は、図４に示すように、上面が開放された引出し本体９の前面板を兼ねるものであり、その前面上部には、開閉操作用の把手６ａが設けられている。
【００１６】
なお、図において符号８は、キャビネット１の下端の蹴込みとなる台輪部、７は、開閉扉６の上側前面を塞いだ幕板を示す。
【００１７】
ここにおいて本発明の厨房家具用キャビネット１では、開閉扉６の裏面に一体に設けられた引出し本体９の片側に、薄型で奥行きが引出し本体９の奥行き寸法とほぼ等しい米びつ１０を一体的に取り付けている。この米びつ１０は、前側（図２や図３において右側）の上下方向に空洞部１０ａが設けられると共に、内部の中程に設けられた傾斜案内板１０ｂ，１０ｃで上下に区分されたものであり、上面に設けられた投入口１０ｄから投入された米Ｒは、この傾斜案内板１０ｂ，１０ｃの上側にストックされるようになっている。また、傾斜案内板１０ｂ，１０ｃの下側には、この傾斜案内板１０ｂ，１０ｃを滑り落ちた米Ｒを計量し、その下側のシュート１０ｅに排出する計量機構部１２が設けられ、この計量機構部１２は、米びつ１０の上面に設けられた操作釦１４で操作されるようになっている。また、米びつ１０の前側に設けられた空洞部１０ａには、図３に示すように、シュート１０ｅの下端が臨むと共に、下端にトレイ１３ｃが設けられた縦長の引出し部１３が、挿脱可能に装填されるようになっている。なお、この引出し部１３は、角筒形で少なくともその一側が開放され、この開放された下側部分を容器状のトレイ１３ｃとしたものであり、上端には手かがりとなるスリット状の開口１３ａが設けられている。また、その内部は、傾斜した仕切り部１３ｂで上下に区分され、引出し部１３が空洞部１０ａに装填された際、トレイ１３ｃが外部に露呈しないようにしている。なお、この装填時、引出し部１３の開放された側（図３において左側）が、計量機構部１２が設けられた側に面し、トレイ１３ｃはシュート１０ｅの下端より下方に位置している。
【００１８】
なお、図２〜４において、符号１１は、米の投入口１０ｄを塞いだ蓋を示す。
【００１９】
本発明の厨房家具用キャビネット１は、上記の構成を有している。
【００２０】
次に、このキャビネット１に一体的に組み込まれた米びつ１０の使用法について述べると、まず、米Ｒを収納するには、開閉扉６をキャビネット１の前方（図３において右方）に引き出し、現れた米びつ本体１０の上面に設けられた投入口１０ｄの蓋１１を開放し、この投入口１０ｄから米Ｒを内部に投入すれば良く、このことで米Ｒは、図３に示すように傾斜案内板１０ｂ，１０ｃの上側の収納部１０ｆに入り、ここで収納保管される。そして、米Ｒの投入後は、投入口１０ｄの蓋１１を閉じ、開閉扉６を閉めれば良い。
【００２１】
次に、この米びつ１０に収納された米Ｒを取り出すには、まず開閉扉６を前方（図３において右方）に引き出し、現れた米びつ１０の上面に設けられた操作釦１４を押せば、傾斜案内板１０ｂ，１０ｃを滑り落ちて計量機構部１２に投入された一定容積の米Ｒが、この計量機構部１２から落下排出され、この落下排出された米Ｒは、シユート１０ｅを介して空洞部１０ａ内に位置した引出し部１３のトレイ１３ｃで受けられるようになっている。なお、一回の操作釦１４の操作で排出される米Ｒの量は、規定の最少単位量に設定されている。従って、多量の米粒を必要とする場合は、操作釦１４を必要な回数だけ操作すれば良い。
【００２２】
このようにして、必要量の米Ｒの排出が完了すると、次に図３に矢印で示すように、引出し部１３を米びつ１０の上側に引き開ければ良く、このことで規定量の米Ｒが外部に取り出されるものである。
【００２３】
そして、トレイ１３ｃから米Ｒを取り出した後、空になった引出し部１３を空洞部１０ａ内に挿入すれば、トレイ１３ｃはシュート１０ｅから排出された米Ｒを受けることができる待機位置にセットされるので、開閉扉６を閉めれば、作業が完了する。
【００２４】
以上のように本発明の厨房家具用キャビネット１では、米びつ１０の上面から必要な米Ｒの投入や取り出しが行えるので、その周囲に他の物を置いても作業の妨げにならない。よって、引出し本体９上に米びつ１０を設置しても、その収納量の減少は、最小限に抑えられるものである。
【００２５】
以上のようにして本発明の厨房家具用キャビネット１では、米Ｒの収納と取り出しが行えるものである。
【００２６】
なお、上記の実施の形態では、引出し部１３の下端にトレイ１３ｃを一体的に設けたものを例示したが、トレイ１３ｃは引出し部１３と別体に形成され、引出し部１３の下端に着脱可能に取り付けられるようになったものであっても良い。
【００２７】
図５と図６は、本発明の他の実施形態を示した要部正面側と、その要部断面図である。図示したようにこの場合は、米びつ１０が設けられた前側の開閉扉６に、計量機構部１２を操作する操作釦１４と、トレイ１３ｄを計量機構部１２の下側に挿入するための開口６ｂとを設けている。
【００２８】
従って、上述した米びつ１０に設けられていた空洞部１０ａに相当するものはなく、米びつ１０の上半部分は全て米Ｒの収納部１０ｆとされている。また、計量機構部１２の下側のシュート１０ｅに相当するものも設けられていない。そして、この場合、トレイ１３ｄは上面が開放された細長い引出し状に形成されており、計量機構部１２から落下した米Ｒは、その下側に設けられた開口１３ｅからこのトレイ１３ｄ内に落下するようになっている。その他の構成は、上記実施形態のものと全く同じである。
【００２９】
この実施形態のキャビネット１に収納された米Ｒを取り出すには、まず開閉扉６の前面に設けられた操作釦１４を押し込み、このことで、傾斜案内板１０ｂ，１０ｃを滑り落ちて計量機構部１２に投入された一定容積の米Ｒを計量機構部１２から下方のトレイ１３ｄに落下させる。なお、この時、一回の操作で排出される米Ｒの量は一定なので、必要とする米Ｒの量が多い場合は、複数回、操作釦１４を押すこととする。このことで、必要な量の米Ｒがトレイ１３ｄに落下して溜まるので、今度は、このトレイ１３ｄを開閉扉６の前面に設けられた開口６ｂから前方に引き出せば良い。
【００３０】
このようにして米Ｒが取り出され、空になったトレイ１３ｄを開口６ｂから挿入すれば、このトレイ１３ｄは、計量機構部１２から落下排出された米Ｒを受け取り可能な待機位置にセットされるものである。
【００３１】
このように、この実施形態のキャビネット１では、開閉扉６を開閉しなくてもその前面から容易に必要な量の米Ｒを取り出すことができる。また、米びつ１０の前部に引出し部１３を挿脱するための空洞部１３ａを設ける必要がないので、米Ｒの収納部１０ｆの容積を大きくでき、同じ外寸の場合、その収納容量を大きくすることができる。なお、この米びつ１０への米Ｒの収納や補充は、前記実施形態のものと同様に、開閉扉６を開けた後、米びつ１０の上面に設けられた投入口１０ｄから行うものである。
【００３２】
【発明の効果】
以上説明したように、本発明のうち、請求項１記載の発明では、キャビネットの引出し内に設置される米びつの上面に、計量機構部の操作釦とトレイの引出し部を設けたので、米の取り出し操作が全て米びつの上面から行える。よって、米びつの周囲に操作用の空間を要さず、収納スペースを最大限利用して米を体裁良く、キャビネット内に収納できるという効果がある。
【００３３】
また、請求項２記載の発明は、キャビネット前面の開閉扉に、内装された米びつの計量機構部の操作釦と、この米びつのトレイを挿脱可能な開口を設けたので、米の取り出し操作が開閉扉を開放することなく、全てキャビネットの外側から行える。よって、上記請求項１記載の発明の効果に加え、一層の操作性の向上がはかられることとなる。また、トレイを上方引出しするもののように、米びつの前側に空洞部を設ける必要がないので、米びつの内部に無駄なスペースがなくなり、米の収納容量が大きくなるという効果もある。
【図面の簡単な説明】
【図１】本発明に係る厨房家具用キャビネットの実施形態の要部正面図である。
【図２】図１のＡ−Ａ線の断面図である。
【図３】図１に示したキャビネットの使用状態説明図である。
【図４】引出し部分の斜視図である。
【図５】他の実施形態の要部正面図である。
【図６】図５のＢ−Ｂ線の断面図である。
【図７】従来例による使用状態説明図である。
【図８】他の従来例による使用状態説明図である。
【図９】さらに他の従来例を示した要部正面図である。
【符号の説明】
１  キャビネット
２  天板
３  側板
４  背板
５  底板
６  開閉扉
６ｂ  開口
９  引出し本体
１０  米びつ
１０ａ  空洞部
１０ｆ  米の収納部
１２  計量機構部
１３  引出し部
１３ｃ，１３ｄ  トレイ
１４  操作釦
【図１】
2004201876.tif 000003
【図２】
2004201876.tif 000004
【図３】
2004201876.tif 000005
【図４】
2004201876.tif 000006
【図５】
2004201876.tif 000007
【図６】
2004201876.tif 000008
【図７】
2004201876.tif 000009
【図８】
2004201876.tif 000010
【図９】
2004201876.tif 000011